(57)【要約】【課題】清掃の容易化を図り得る洋式便器を提供する。【解決手段】便器本体の左右両側の側面のうちの少なくとも一方の側面に、側面開口が設けられているとともに、この側面開口を覆う側面カバー７が取り付けられている。側面カバー７は、側面開口を覆う閉じ位置から便器本体の側面に沿って前方に引き出し可能に設けられている。そして、側面カバー７の内面に、拭き取り部材２１を貼り付ける貼り付け面２２を設け、側面カバー７を前方へ引き出すとき拭き取り部材２１が側面開口よりも前方に位置する便器本体の側面に接触してこの便器本体の側面を清掃するように構成する。【選択図】図４
2016156226.tif 000002
【特許請求の範囲】
【請求項１】
便器本体の左右両側の側面のうちの少なくとも一方の側面に、側面開口が設けられているとともに、この側面開口を覆う側面カバーが取り付けられており、前記側面カバーは、前記側面開口を覆う閉じ位置から前記便器本体の側面に沿って前方に引き出し可能に設けられた洋式便器であって、
前記側面カバーの内面に、拭き取り部材を貼り付ける貼り付け面を設け、前記側面カバーを前方へ引き出すとき前記拭き取り部材が前記側面開口よりも前方に位置する前記便器本体の側面に接触してこの便器本体の側面を清掃するようになっていることを特徴とする洋式便器。
【請求項２】
前記拭き取り部材は、前記貼り付け面に対し面ファスナーを介して取り外し可能に貼り付けられている請求項１記載の洋式便器。
【請求項３】
前記側面開口の上縁部および下縁部の少なくとも一方には、その上縁部または下縁部に沿って延びる溝または長孔からなるガイド部が設けられており、
前記側面カバーは、前記便器本体の側面を構成する側面部と、この側面部の後端に連続しかつ前記便器本体の後面の一部を構成する後面部とを有しており、
前記後面部には、前記ガイド部に対しその長手方向に沿って移動可能に嵌合する被ガイド部が設けられ、この被ガイド部と前記ガイド部とにより前記側面カバーの前方への引き出しをガイドするようになっており、
前記貼り付け面は、前記側面部の内面に設けられている請求項１または２記載の洋式便器。
【発明の詳細な説明】
【技術分野】
【０００１】
本発明は、洋式便器に関し、特に、便器本体の左右両側の側面のうちの少なくとも一方の側面に側面カバーを設けたものに係わる。
【背景技術】
【０００２】
従来、この種の洋式便器として、便器本体の左右両側の側面のうちの少なくとも一方の側面に、側面開口を設けるとともに、この側面開口を覆う側面カバーを取り付けたものは知られている。特に、特許文献１に記載の洋式便器では、側面カバーが、その内面側に設けたガイド手段としてのレールによって、側面開口を覆う閉じ位置から便器本体の側面に沿って前方に引き出して取り外し得るように構成されている。このものでは、側面カバーを閉じ位置から前方に引き出して開けたり、取り外したりすることで、便器本体内に装備される可動トラップ等の保守点検を容易に行うことができるとともに、側面カバーの清掃を容易に行うことができるという利点がある。
【先行技術文献】
【特許文献】
【０００３】
【特許文献１】特開２００７−２６２７０３号公報
【発明の概要】
【発明が解決しようとする課題】
【０００４】
ところで、特許文献１に記載の洋式便器では、便器本体の側面開口よりも前方に位置する便器本体の側面は、保守点検時の作業者または使用者が雑巾等で拭いて清掃している。しかし、この清掃は、床に近い低い位置の作業となることから、清掃が容易でないという問題がある。
【０００５】
本発明はかかる点に鑑みてなされたもので、その課題は、側板カバーを前方に引き出す動作に伴って側面カバーの閉じ位置よりも前方に位置する便器本体の側面を清掃するように構成し、もって清掃の容易化を図り得る洋式便器を提供することにある。
【課題を解決するための手段】
【０００６】
前記の課題を解決するため、本発明は、洋式便器として、便器本体の左右両側の側面のうちの少なくとも一方の側面に、側面開口が設けられているとともに、この側面開口を覆う側面カバーが取り付けられており、前記側面カバーは、前記側面開口を覆う閉じ位置から前記便器本体の側面に沿って前方に引き出し可能に設けられたことを前提とする。そして、前記側面カバーの内面に、拭き取り部材を貼り付ける貼り付け面を設け、前記側面カバーを前方へ引き出すとき前記拭き取り部材が前記側面開口よりも前方に位置する前記便器本体の側面に接触してこの便器本体の側面を清掃するように構成する。
【発明の効果】
【０００７】
本発明の洋式便器によれば、側面カバーを閉じ位置から前方へ引き出すとき側面カバー内面の貼り付け面に貼り付けた拭き取り部材が側面カバーの閉じ位置よりも前方に位置する便器本体の側面に接触してこの便器本体の側面を清掃する。このため、従来の如く作業者または使用者が雑巾等で前記便器本体の側面を拭いて清掃する必要はなく、その分清掃の容易化を図ることができる。
【図面の簡単な説明】
【０００８】
【図１】図１は本発明の第１の実施形態に係る洋式便器の斜視図である。
【図２】図２は前記洋式便器の下側側面カバーを前方に引き出した状態を示す斜視図である。
【図３】図３は前記下側側面カバーをその外面側から見た斜視図である。
【図４】図４は前記下側側面カバーをその内面側から見た斜視図である。
【図５】図５は前記洋式便器の上側側面カバーをその内面側から見た斜視図である。
【図６】図６は前記下側側面カバーの被ガイド部が前記上側側面カバーのガイド長孔に嵌合した状態を示す一部を切開した図である。
【図７】図７は図４に示す状態から雑巾を取り外した状態を示す斜視図である。
【図８】図８は第２の実施形態に係る洋式便器の下側側面カバーを前方に引き出した状態の側面開口付近を示す斜視図である。
【図９】図９は図４相当図である。
【図１０】図１０は図５相当図である。
【発明を実施するための形態】
【０００９】
以下、本発明を実施するための形態である実施形態を図面に基づいて説明する。
【００１０】
図１および図２は本発明の第１の実施形態に係る洋式便器１の全体構成を示す。なお、洋式便器１の前後方向は、洋式便器１に着座した利用者から見た方向を基準にして説明する。すなわち、図１および図２中、Ｆ方向を前方、Ｂ方向を後方として説明する。
【００１１】
洋式便器１は、トレイの床面上に設置された便器本体２と、便器本体２上に後端側を支軸側として開閉自在に取り付けられた便座（図示せず）と、便座を覆うために便座と同様に便器本体２に開閉自在に取り付けられた便蓋３とを備えている。また、洋式便器１は、局所洗浄装置および便座を暖める装置のハウジング４も備えている。
【００１２】
便器本体２は、骨組み構造５によって支持された複数のパーツ部品によって構成されており、便器本体２の後部側面２ｂは、上側側面カバー６と下側側面カバー７とによって構成されている。上側側面カバー６および下側側面カバー７は、共に樹脂からなる。
【００１３】
上側側面カバー６は、便器本体２の後部側面２ｂを構成する位置に固定状態で取り付けられている。これに対し、下側側面カバー７は、便器本体２の後部側面２ｂを構成する位置から便器本体２の前部側面２ａに沿って前方に引き出し可能に取り付けられている。下側側面カバー７を前方に引き出したときには、便器本体２の内部に配置される可動トラップ等の機器が露見し、それらの保守点検等を行い得るようになっている。
【００１４】
また、下側側面カバー７は、見方を変えると、便器本体２の後部側面２ｂに設けた側面開口８を覆うカバー部材（請求項１に記載の側面カバー）であって、側面開口８を覆う閉じ位置から便器本体２の前部側面２ａに沿って前方に引き出し可能に設けられている。側面開口８の上縁部は、上側側面カバー６により構成されており、側面開口８の下縁部は、骨組み構造５の床面側部材９により構成されている。なお、図１および図２では、側面開口８および側面カバー（下側側面カバー）７は、便器本体２の左側の後部側面２ｂに設けられているが、便器本体２の右側の後部側面に同様に設けても良い。本実施形態では、便器本体２の左右両側の側面（後部側面）２ｂのうちの少なくとも一方の側面に、側面開口８および側面カバー（下側側面カバー）７が設けられていれば良い。
【００１５】
下側側面カバー７は、図３および図４に示すように、便器本体２の後部側面２ｂを構成する側面部７ａと、側面部７ａの後端に湾曲状に連続しかつ便器本体２の後面の一部を構成する後面部７ｂとを有している。
【００１６】
下側側面カバー７の後面部７ｂの内面側には、後面部７ｂの側面部７ａと反対側の一端に沿って上下方向に延びるガイド軸１１が軸受け部１２を介して取り付けられている。ガイド軸１１の上端には、直径がガイド軸１１のそれよりも大きい頭部１３が一体にまたは別体で設けられている。ガイド軸１１は、軸受け部１２に対し上方に抜き取り可能に設けられている。ガイド軸１１および頭部１３により、後述するガイド部としてのガイド長孔１５に対しその長手方向に沿って移動可能に嵌合する被ガイド部１４が構成されている。
【００１７】
一方、上側側面カバー６は、図５に示すように、便器本体２の後部側面２ｂを構成する側面部６ａと、側面部６ａの後端に湾曲状に連続しかつ便器本体２の後面の一部を構成する後面部６ｂと、突起部６ｃとを有している。突起部６ｃは、側面部６ａおよび後面部６ｂの下端から内側に突出して形成されており、突起部６ｃの突出方向の中間位置には側面部６ａおよび後面部６ｂに沿って延びるガイド部としてのガイド長孔１５が設けられている。上側側面カバー６の取り付け状態では、突起部６ｃは、側面開口８の上縁部に位置しており、ガイド長孔１５は、側面開口８の上縁部に沿って延びている。
【００１８】
そして、上側側面カバー６および下側側面カバー７の取り付け時には、図６に示すように、ガイド軸１１の頭部１３を上側にした状態でガイド軸１１の下端をガイド長孔１５および軸受け１２に挿入することでガイド軸１１が取り付けられている。このガイド軸１１の取り付け状態では、ガイド軸１１は、ガイド長孔１５に対し、頭部１３により抜け止めされた状態でガイド長孔１５に沿って移動可能に嵌合している。また、この取り付け状態から下側側面カバー７を前方に引き出すと、ガイド軸１１および頭部１３、つまり被ガイド部１４がガイド長孔１５に沿って移動して下側側面カバー７の前方への引き出しをガイドするようになっている。
【００１９】
さらに、下側側面カバー７の側面部７ａの内面には、図４および図７に示すように、その略全面に亘って、拭き取り部材２１を貼り付けるための滑らかな貼り付け面２２が設けられている。拭き取り部材２１は、雑巾（ウェス）、布巾、モップ、スポンジ、掃除用シートなどの拭き掃除に利用できる部材である。貼り付け面２２には拭き取り部材２１が面ファスナー２３ａ，２３ｂを介して取り外し可能に貼り付けられている。そして、下側側面カバー７を前方に引き出すとき、拭き取り部材２１が側面開口８よりも前方に位置する便器本体２の前部側面２ａに接触してこの便器本体２の前部側面２ａを清掃するようになっている。
【００２０】
従って、第１の実施形態においては、便器本体２の左右両側の側面（後部側面）２ｂのうちの少なくとも一方の側面２ｂに、側面開口８が設けられているとともに、この側面開口８を覆う側面カバー（下側側面カバー）７が取り付けられている。側面カバー７は、側面開口８を覆う閉じ位置から便器本体２の側面（前部側面）２ａに沿って前方に引き出し可能に設けられている。側面カバー７の内面に、拭き取り部材２１を貼り付ける貼り付け面２２を設けている。そして、側面カバー７を閉じ位置から前方へ引き出すときには、拭き取り部材２１が側面開口８よりも前方に位置する便器本体２の側面（前部側面）２ａに接触してこの便器本体２の側面（前部側面）２ａを清掃する。このため、従来の如く保守点検時の作業者または使用者が雑巾等で便器本体２の側面（前部側面）２ａを拭いて清掃する必要はなく、その分清掃の容易化を図ることができる。
【００２１】
特に、本実施形態の場合、拭き取り部材２１が貼り付けられた下側側面カバー７内面の貼り付け面２２は、滑らかなものであるため、拭き取り部材２１による清掃に伴って便器本体２の側面（前部側面）２ａが損傷することはない。この結果、実施化を有効に図ることができるという効果をも奏する。ここで、貼り付け面２２の滑らかさとしては、凹凸が全くない場合に限らず、例えば凸部がある場合でも拭き取り部材２１による清掃の際に凸部が拭き取り部材２１を介して便器本体２の側面（前部側面）２ａに接触しても側面２ａが損傷する虞がなければ良い。
【００２２】
また、拭き取り部材２１は、下側側面カバー７内面の貼り付け面２２に対し面ファスナー２３ａ，２３ｂを介して取り外し可能に貼り付けられている。このため、拭き取り部材２１が汚れた場合などに拭き取り部材２１を取り外して洗濯等を行うことができ、使い勝手が良い。
【００２３】
さらに、側面開口８の上縁部および下縁部の少なくとも一方には、その上縁部または下縁部に沿って延びる溝または長孔からなるガイド部（ガイド長孔）１５が設けられている。側面カバー７は、便器本体２の側面２ｂを構成する側面部７ａと、側面部７ａの後端に連続しかつ便器本体２の後部の一部を構成する後面部７ｂとを有している。後面部７ｂには、ガイド部１５に対しその長手方向（延び方向）に沿って移動可能に嵌合する被ガイド部１４が設けられ、被ガイド部１４とガイド部１５とにより側面カバー７の前方への引き出しがガイドされる。貼り付け面２２は、側面カバー７の側面部７ａの内面に設けられている。
【００２４】
このような構成から、ガイド機構を構成する被ガイド部１４およびガイド部１５と、側面カバー７の側面部７ａ内面の貼り付け面２２に貼り付けた拭き取り部材２１とが部材干渉を生じることはなく、それぞれの機能を効果的に発揮することができる。特に、側面カバー７を前方へ引き出すとき、側面カバー７の側面部７ａ内面の貼り付け面２２に貼り付けた拭き取り部材２１を便器本体２の側面２ａに押し付けながら側面カバー７を前方へ引き出すことができる。この結果、拭き取り部材２１による清掃効果を高めることができる。
【００２５】
図８ないし図１０は本発明の第２の実施形態に係る洋式便器の一部構成を示す。この洋式便器は、基本的には第１の実施形態の場合と同じであり、同一の部材・部位には同一の部号を付してその説明は省略する。第２の実施形態において、第１の実施形態と異なる点は、下側側面カバー７の前方への引き出しをガイドするガイド機構の構成である。
【００２６】
すなわち、図８および図１０に示すように、側面開口８の上縁部を構成する上側側面カバー６の突起部６ｃには、その突出方向の基端位置で側面部６ａおよび後面部６ｂに沿って延びるガイド部としてのガイド長孔３１が設けられている。上側側面カバー６の取り付け状態では、ガイド長孔３１は、側面開口８の上縁部に沿って延びている。また、側面開口８の下縁部を構成する骨組み構造５の床面側部材３２の上面には、側面開口８の下縁部に沿って延びるガイド部としてのガイド溝３３が形成されている。
【００２７】
一方、図９に示すように、下側側面カバー７の後面部７ｂの内面側には、後面部７ｂの側面部７ａと反対側の一端に沿って上下方向に延びるガイド軸３４が軸受け部３５を介して取り付けられている。そして、下側側面カバー７の取り付け状態では、ガイド軸３４の上端部は、上側側面カバー６のガイド長孔３１に対し、ガイド軸３４の下端部は、床面側部材３２のガイド溝３３に対しそれぞれその長手方向に移動可能に嵌合するようになっている。また、この取り付け状態から下側側面カバー７を前方へ引き出すと、ガイド軸３４の上下両端部がそれぞれガイド長孔３１およびガイド溝３３に沿って移動して下側側面カバー７の前方への引き出しをガイドするようになっている。よって、本実施形態の場合、ガイド軸３４は、被ガイド部を構成している。
【００２８】
そして、第２の実施形態においても、前記第１の実施形態の場合と同様の作用効果を奏することができるのは勿論である。
【００２９】
なお、本発明は前記第１および第２の実施形態に限定されるものではなく、その他種々の形態を包含するものである。例えば前記各実施形態では、下側側面カバー７の側面部７ａの内面に貼り付け面２２を設け、貼り付け面２２に拭き取り部材２１を面ファスナー２３ａ，２３ｂを介して取り外し可能に貼り付けた。しかし、本発明は、拭き取り部材２１を貼り付け面２２に貼り付けるに当たり、面ファスナー２３ａ，２３ｂの代わりに、マグネットや両面テープ等を用いても良い。
【００３０】
また、前記各実施形態では、下側側面カバー７が側面開口８を覆う閉じ位置にあるとき、下側側面カバー７は、その後面部７ｂに設けた被ガイド部１４，３４と側面開口８の上縁部又は下縁部に設けたガイド長孔１５，３１又はガイド溝３３との嵌合で保持される。しかし、本発明は、例えば下側側面カバー７の前端に前方に突出する突出部を設け、この突出部を、側面開口８の前縁部に設けた凹部に対し嵌め込んで止めるように構成しても良い。ただし、この場合、下側側面カバー７を閉じ位置から前方に引き出すとき、前記凸部が便器本体２の前部側面２ａに接触しないように、この凸部の形状や寸法等を適切に設定する必要がある。
【００３１】
さらに、前記各実施形態では、下側側面カバー７は、側面開口８の上縁部に設けたガイド長孔１５，３１の形状から、閉じ位置から前方に引き出しても取り外しができないようになっている。しかし、本発明は、下側側面カバー７を、前方に引き出して取り外し可能にしても良いのは勿論である。
【符号の説明】
【００３２】
１    洋式便器
２    便器本体
２ａ  前部側面
２ｂ  後部側面
７    下側側面カバー（側面カバー）
７ａ  側面部
７ｂ  後面部
８    側面開口
１４    被ガイド部
１５，３１    ガイド長孔（ガイド部）
２１    拭き取り部材
２２    貼り付け面
２３ａ，２３ｂ    面ファスナー
３３    ガイド溝（ガイド部）
３４    ガイド軸（被ガイド部）
【図１】
2016156226.tif 000003
【図２】
2016156226.tif 000004
【図３】
2016156226.tif 000005
【図４】
2016156226.tif 000006
【図５】
2016156226.tif 000007
【図６】
2016156226.tif 000008
【図７】
2016156226.tif 000009
【図８】
2016156226.tif 000010
【図９】
2016156226.tif 000011
【図１０】
2016156226.tif 000012